(57)【要約】【課題】特別な操作をせずとも高圧に圧入される薬液が漏出しない構造の薬液注入用具を提供する。【解決手段】内針３２０が挿入されている外針３１０が血管に穿刺されてから、その外針３１０から内針３２０が抜去される。このとき、内針３２０が凹面部材３６０の貫通孔から抜去されると、その凹面部材３６０の円錐凹面に密閉部材３７０が密着する。このため、薬液が高圧に圧入されても凹面部材３６０の貫通孔から漏出することがない。しかも、内針３２０が凹面部材３６０から抜去されると自動的に密閉部材３７０が円錐凹面に密着する。このため、専用の操作などを必要とすることなく自動的に凹面部材３６０の貫通孔を密閉することができる。【選択図】図１
2008200161.tif 000002
【特許請求の範囲】
【請求項１】
被験者の血管に薬液を注入するための薬液注入用具であって、
前記血管の内部に少なくとも前部が留置される柔軟な中空の外針と、
少なくとも前記外針の内部に挿入されていて前記血管に穿刺される前部が硬質な内針と、
前記外針の後端が前端開口に一体に連結されているとともに後端開口から前記内針の後部が突出している管状部材と、
前記内針が挿通されている貫通孔を中心とした円錐凹面に前面が形成されていて前記管状部材の内部後端に配置されている凹面部材と、
前記管状部材の内部で前記凹面部材より前方に配置されていて前記内針が抜去されると前記円錐凹面に密着する密閉部材と、
を有する薬液注入用具。
【請求項２】
前記密閉部材は、球形に形成されていて前記内針が貫通されている請求項１に記載の薬液注入用具。
【請求項３】
前記内針が貫通されている前記密閉部材を前記凹面部材の前記円錐凹面から離間した位置に保持するとともに前記内針が抜去されて前記凹面部材の前記円錐凹面まで移動する前記密閉部材を回動させる係合部材を、さらに有する請求項２に記載の薬液注入用具。
【請求項４】
前記係合部材が前記凹面部材と一体に形成されている請求項３に記載の薬液注入用具。
【請求項５】
前記密閉部材は、球形に形成されていて前記内針の外周面と前記管状部材の内周面との間隙に配置されている請求項１に記載の薬液注入用具。
【請求項６】
前記密閉部材は、前記凹面部材の前記円錐凹面に密着する円錐凸面に後面が形成されており、前記円錐凸面が前記円錐凹面に密着した状態で前記凹面部材の貫通孔と連通しない位置に前記内針が貫通されている請求項１に記載の薬液注入用具。
【請求項７】
前記密閉部材は、前記凹面部材の前記円錐凹面に密着する円錐凸面に後面が形成されており、前記内針が貫通されている貫通孔が弾発的に閉止される請求項１に記載の薬液注入用具。
【請求項８】
前記密閉部材は、前面も前記貫通孔を中心とした円錐凸面に形成されている請求項７に記載の薬液注入用具。
【請求項９】
前記管状部材は、前記内針が挿通されている管状本体と、前記管状本体から分岐されている分岐管部と、を有する二股構造に形成されており、
前記管状本体は、前記分岐管部が分岐している位置より後方で前記密閉部材が配置されている位置より前方の内周面にストッパ部が形成されており、
前記ストッパ部は、前記密閉部材より小径で前記内針が挿通されている貫通孔が形成されている請求項１ないし８の何れか一項に記載の薬液注入用具。
【請求項１０】
前記管状部材は、別体の延長チューブが着脱自在に連結される連結機構が後端部に形成されている請求項１ないし９の何れか一項に記載の薬液注入用具。
【請求項１１】
前記延長チューブは、円筒状の雌ネジ部材が先端に装着されており、
前記管状部材は、前記連結機構として前記雌ネジ部材が係脱自在に螺合される雄ネジ部が前記後端部の外周面に形成されている請求項１０に記載の薬液注入用具。
【請求項１２】
前記管状部材は、後方ほど拡開した円錐状の凹部が後面に形成されており、
前記内針は、後端に装着されている円柱状のノブ状部と、前記ノブ状部の前端に形成されていて前記凹部に係脱自在に係合している円錐状の凸部と、を有する請求項１ないし１１の何れか一項に記載の薬液注入用具。
【請求項１３】
前記内針は、円筒状の前記ノブ状部の外周面の後端に円環状の凸部が形成されている請求項１２に記載の薬液注入用具。
【請求項１４】
前記外針の後端外周に後方ほど拡開した円錐状に外周面が形成されているハンドル部が装着されている請求項１ないし１３の何れか一項に記載の薬液注入用具。
【請求項１５】
前記ハンドル部は、前記外周面の前端から後端まで複数の円環状の凸部が連続的に形成されている請求項１４に記載の薬液注入用具。
【請求項１６】
ＲＦＩＤ(Radio Frequency Identification)チップが搭載されている請求項１ないし１５の何れか一項に記載の薬液注入用具。
【請求項１７】
前記ＲＦＩＤチップに耐圧が記録されている請求項１６に記載の薬液注入用具。
【請求項１８】
前記ＲＦＩＤチップが、周囲の環境を検出する環境センサと、検出された前記環境を記録するデータ記憶部と、を有する請求項１６または１７に記載の薬液注入用具。
【請求項１９】
被験者の血管に薬液を注入するための薬液注入用具に延長チューブで連結された薬液シリンジを駆動する薬液注入装置であって、
請求項１７に記載の薬液注入用具のＲＦＩＤチップから前記耐圧を取得するＲＦＩＤリーダと、
前記薬液シリンジを駆動するシリンジ駆動機構と、
圧入される前記薬液の圧力を検出する圧力検出部と、
検出される前記圧力が取得された前記耐圧を超過しないように前記シリンジ駆動機構を動作制御する動作制御部と、
を有する薬液注入装置。
【請求項２０】
前記ＲＦＩＤリーダは、請求項１８に記載の薬液注入用具のＲＦＩＤチップから前記環境の履歴を取得し、
前記動作制御部は、取得された前記履歴が所定条件を逸脱していると前記シリンジ駆動機構を作動させない請求項１９に記載の薬液注入装置。
【発明の詳細な説明】
【技術分野】
【０００１】
本発明は、被験者の血管に薬液を注入するための薬液注入用具と、この薬液注入用具を利用して被験者の血管に薬液を圧入する薬液注入装置と、に関する。
【背景技術】
【０００２】
現在、被験者の血管に薬液を注入する場合、シリンダ部材にピストン部材がスライド自在に挿入されている薬液容器に注射針を直接に装着し、その注射針を血管に直接に穿刺することがある。しかし、これは注入が長時間となる場合や大容量の薬液を注入する場合には困難なので、このような場合には、薬液容器に柔軟な延長チューブで注射針を連結している。
【０００３】
さらに、被験者が長期間の入院患者などの場合には注射針の穿刺が何度も必要となることがある。このため、このような場合には血管に留置しても被験者の負担が微少な留置針が利用されている。
【０００４】
また、ＣＴ(Computed Tomography)スキャナやＭＲＩ(Magnetic Resonance Imaging)装置などの透視撮像装置で被験者から透視画像を撮像する場合、一般的に被験者の血管に造影剤を注入する。しかし、透視画像の撮像は長時間となることがある。このため、このような場合にも造影剤の注入に留置針を利用する場合がある。
【０００５】
上述のような留置針の一従来例を図１３を参照して以下に説明する。ここで薬液注入用具として例示する留置針１０は、外針１１と内針１２と管状部材１３とを有し、外針１１は、例えば、シリコン樹脂で柔軟な管状に形成されている。内針１２は、例えば、ステンレス合金で硬質な先鋭の針状に形成されており、この内針１２が外針１１の内部に挿入されている。
【０００６】
管状部材１３は、硬質で透明な樹脂などで前端と後端とが開口した管状に形成されており、その前端開口に外針１１の後端が一体に連結されている。また、管状部材１３の後端開口には弾性部材であるパッキン１４が装着されており、このパッキン１４を内針１２が貫通している。このパッキン１４は管状部材１３の後端開口を密閉しており、パッキン１４から突出した内針１２の後部にはノブ状部１６が一体に形成されている。
【０００７】
管状部材１３は、側部にも管状部分が形成されており、この管状部分にも開口が形成されている。この管状部分には別体の柔軟な延長チューブ１７の前端がジョイント１８により着脱自在に装着され、この延長チューブ１７の後端には、薬液シリンジや薬液ボトルなどの薬液容器(図示せず)が着脱自在に装着される。なお、延長チューブ１７には、気泡排除手段である排気弁(図示せず)が装着されており、この排気弁が延長チューブ１７の内部の液体から気泡を排除する。
【０００８】
上述のような構造の留置針１０を使用する場合は、図１３(ａ)に示すように、内針１２が外針１１の内部に配置された状態で、この外針１１と内針１２とが被験者の血管に穿刺される(図示せず)。
【０００９】
つぎに、図１３(ｂ)に示すように、このような状態でノブ状部１６が引き出されて内針１２が外針１１と管状部材１３から抜去されると、逆流する被験者の血液で外針１１と管状部材１３の内部が充填される。なお、このように内針１２を離脱させると、パッキン１４は弾性により開口が閉止される。
【００１０】
つぎに、図１３(ｃ)に示すように、後端に薬液容器が連結されて内部が薬液で充填された延長チューブ１７の前端が管状部材１３に連結され、例えば、排気弁により管状部材１３と延長チューブ１７との内部の液体から気泡が排除される。
【００１１】
このような状態では、薬液容器から延長チューブ１７と留置針１０とを介して被験者の血管に薬液を注入することができ、それでいて血管に穿刺されている外針１１は柔軟なので被験者の身体的な負担が軽減されている。
【００１２】
外針１１は柔軟であるが、血管に穿刺されるときには硬質な内針１２で保持されている。このため、外針１１を血管に容易に穿刺することができる。現在、上述のような留置針として各種の提案がある(例えば、特許文献１〜４参照)。
【特許文献１】特開平０７−３２８１１６号公報
【特許文献２】特開平０９−０００６２９号公報
【特許文献３】特開平１０−０１５０７４号公報
【特許文献４】特開平１０−０２８７３９号公報
【発明の開示】
【発明が解決しようとする課題】
【００１３】
従来の留置針１０は、作業者が薬液シリンジを手作業で操作することを想定して製造されている。このため、内針１２が抜去されたパッキン１４の貫通孔を弾性により充分に密閉することができた。
【００１４】
しかし、ＣＴスキャナやＭＲＩ装置などの透視撮像装置で被験者から透視画像を撮像する場合、造影剤などの薬液を薬液注入装置で被験者の血管に圧入することがある(図示せず)。
【００１５】
このような薬液注入装置は、手作業では不可能な圧力で薬液シリンジを駆動する。このため、上述のようにパッキン１４の弾性だけで貫通孔を密閉する構造では薬液の漏出を防止できない。
【００１６】
本発明は上述のような課題に鑑みてなされたものであり、薬液が高圧に注入されても内針が抜去された貫通孔から漏出しない薬液注入用具と、この薬液注入用具を利用して薬液を被験者の血管に注入する薬液注入装置と、を提供することを目的とする。
【課題を解決するための手段】
【００１７】
本発明の薬液注入用具は、被験者の血管に薬液を注入するための薬液注入用具であって、血管の内部に少なくとも前部が留置される柔軟な中空の外針と、少なくとも外針の内部に挿入されていて血管に穿刺される前部が硬質な内針と、外針の後端が前端開口に一体に連結されているとともに後端開口から内針の後部が突出している管状部材と、内針が挿通されている貫通孔を中心とした円錐凹面に前面が形成されていて管状部材の内部後端に配置されている凹面部材と、管状部材の内部で凹面部材より前方に配置されていて内針が抜去されると円錐凹面に密着する密閉部材と、を有する。
【００１８】
従って、本発明の薬液注入用具では、内針が挿入されている外針が血管に穿刺されてから、その外針から内針が抜去される。このとき、内針が凹面部材の貫通孔から抜去されると、その凹面部材の円錐凹面に密閉部材が密着する。このため、管状部材に圧入される薬液の圧力により、密閉部材が凹面部材の円錐凹面に密着される。
【００１９】
本発明の薬液注入装置は、被験者の血管に薬液を注入するための薬液注入用具に延長チューブで連結された薬液シリンジを駆動する薬液注入装置であって、本発明の薬液注入用具のＲＦＩＤチップから耐圧を取得するＲＦＩＤリーダと、薬液シリンジを駆動するシリンジ駆動機構と、圧入される薬液の圧力を検出する圧力検出部と、検出される圧力が取得された耐圧を超過しないようにシリンジ駆動機構を動作制御する動作制御部と、を有する。
【００２０】
従って、本発明の薬液注入装置では、薬液注入用具ごとに相違する耐圧が自動的に取得され、その耐圧を超過しないように注入される薬液の圧力が制御される。このため、耐圧を超過した圧力で薬液が薬液注入用具に圧入されることがない。
【００２１】
なお、本発明で云う各種の構成要素は、かならずしも個々に独立した存在である必要はなく、複数の構成要素が一個の部材として形成されていること、ある構成要素が他の構成要素の一部であること、ある構成要素の一部と他の構成要素の一部とが重複していること、等も可能である。
【００２２】
また、本発明では前後方向を規定しているが、これは各種の構成要素の相対関係を簡単に説明するために便宜的に規定したものであり、本発明を実施する場合の製造時や使用時の方向を限定するものではない。
【００２３】
さらに、本発明で云う円錐凹面とは、円錐状の凹面であればよい。このため、可展面からなる完全な円錐形である必要はなく、半球状の非可展面などでもよい。また、本発明で云う前部とは、前端から任意の位置までの部分を意味しており、後部とは、後端から任意の位置までの部分を意味している。
【発明の効果】
【００２４】
本発明の薬液注入用具では、管状部材に圧入される薬液の圧力により、密閉部材が凹面部材の円錐凹面に密着される。このため、薬液が高圧に圧入されても凹面部材の貫通孔から漏出することがない。しかも、内針が凹面部材から抜去されると自動的に密閉部材が円錐凹面に密着する。このため、専用の操作などを必要とすることなく自動的に凹面部材の貫通孔を密閉することができる。
【００２５】
本発明の薬液注入装置では、薬液注入用具に耐圧を超過した圧力で薬液が圧入されることがない。このため、薬液注入用具の内針が抜去された貫通孔から薬液が漏出することを有効に防止でき、薬液注入用具が異常な高圧により破壊されることもない。
【発明を実施するための最良の形態】
【００２６】
本発明の実施の一形態を図１ないし図４を参照して以下に説明する。本発明の実施の形態の薬液注入システム１０００は、薬液注入装置１００、薬液容器である薬液シリンジ２００、薬液注入用具である留置針３００、透視撮像装置であるＭＲＩ装置４００、を有する。
【００２７】
このＭＲＩ装置４００は、撮像実行機構である透視撮像ユニット４０１と撮像制御ユニット４０２とを有する。透視撮像ユニット４０１は被験者(図示せず)から透視画像を撮像し、撮像制御ユニット４０２は透視撮像ユニット４０１を動作制御する。
【００２８】
薬液シリンジ２００は、図２に示すように、シリンダ部材２１０とピストン部材２２０とを有し、シリンダ部材２１０にピストン部材２２０がスライド自在に挿入されている。シリンダ部材２１０は、円筒形の中空の本体部２１１を有し、この本体部２１１の閉塞した前端に導管部２１２が形成されている。
【００２９】
シリンダ部材２１０の本体部２１１の後端は開口されており、この開口から本体部２１１の内部にピストン部材２２０が挿入されている。シリンダ部材２１０の後端外周にはシリンダフランジ２１３が形成されており、ピストン部材２２０の後端外周にはピストンフランジ２２１が形成されている。
【００３０】
なお、この薬液シリンジ２００としては、薬液として造影剤が充填されている造影シリンジ２００Ｃと、薬液として生理食塩水が充填されている生食シリンジ２００Ｐと、があり、薬液注入装置１００には、造影および生食シリンジ２００Ｃ，２００Ｐが一個ずつ同時に装着される。
【００３１】
本実施の形態の薬液注入装置１００は、図３に示すように、注入制御ユニット１０１と注入ヘッド１１０とが別体に形成されており、その注入制御ユニット１０１と注入ヘッド１１０とは通信ケーブル１０２で有線接続されている。注入ヘッド１１０は、装着される薬液シリンジ２００を駆動して被験者に薬液を注入し、注入制御ユニット１０１は、注入ヘッド１１０を動作制御する。
【００３２】
注入ヘッド１１０は、キャスタスタンド１１１の上端に可動アーム１１２で装着されており、そのヘッド本体１１３の上面には、薬液シリンジ２００が着脱自在に装着される半円筒形の溝状の凹部１１４が二つ形成されている。
【００３３】
この凹部１１４には、薬液シリンジ２００のシリンダフランジ２１３を着脱自在に保持するシリンダ保持機構１１６が凹溝で形成されており、その後方には、ピストンフランジ２２１を保持してスライド移動させるシリンジ駆動機構１１７が配置されている。
【００３４】
シリンジ駆動機構１１７は、作動時にも磁界を発生しない超音波モータ(図示せず)を駆動源として個々に有し、ネジ機構(図示せず)などによりピストン部材２２０をスライド移動させる。
【００３５】
注入ヘッド１１０の二つの凹部１１４には、造影および生食シリンジ２００Ｃ，２００Ｐが個々に装着される。このため、これら二つの凹部１１４と二個のシリンジ駆動機構１１７により、被験者に造影剤を注入する造影注入機構１１７Ｃと生理食塩水を注入する生食注入機構１１７Ｐとが形成されている。
【００３６】
本実施の形態の薬液注入装置１００では、少なくとも注入ヘッド１１０の各部が非磁性体で形成されており、非磁性体で形成できない部分は防磁されている。例えば、超音波モータなどの金属部分は、燐青銅合金(Cu+Sn+P)、チタン合金(Ti-6Al-4V)、マグネシウム合金(Mg+Al+Zn)、などの非磁性体で形成されており、ヘッド本体１１３などは非磁性体の樹脂で形成されている。
【００３７】
注入制御ユニット１０１は、操作パネル１０３、タッチパネル１０４、スピーカユニット１０５、等が本体ハウジング１０６の前面に配置されており、別体のコントローラユニット１０７が接続コネクタ１０８で有線接続されている。
【００３８】
本実施の形態の薬液注入装置１００は、基本的には注入制御ユニット１０１への手動操作で注入ヘッド１１０が動作制御されるが、簡単な手動操作を受け付ける操作パネルが注入ヘッド１１０の上面後部にも形成されている。
【００３９】
本実施の形態の留置針３００は、図１に示すように、血管の内部に少なくとも前部が留置される柔軟な中空の外針３１０と、少なくとも外針３１０の内部に挿入されていて血管に穿刺される前部が硬質な内針３２０と、外針３１０の後端が前端開口に一体に連結されているとともに後端開口から内針３２０の後部が突出している管状部材３３０と、内針３２０が挿通されている貫通孔３６１を中心とした円錐凹面３６２に前面が形成されていて管状部材３３０の内部後端に配置されている凹面部材３６０と、管状部材３３０の内部で凹面部材３６０より前方に配置されていて内針３２０が抜去されると円錐凹面３６２に密着する密閉部材３７０と、を有する。
【００４０】
より具体的には、外針３１０は、例えば、柔軟なシリコン樹脂により、湾曲は容易であるが伸縮は困難な細管状に形成されている。内針３２０は、針本体３２１とガイドワイヤ３２２とを有する。
【００４１】
内針３２０の針本体３２１は、例えば、硬質なステンレス合金により、先鋭な形状に形成されている。ガイドワイヤ３２２は、例えば、湾曲は容易であるが伸縮は困難な金属製の柔軟なワイヤで形成されており、その前端が針本体３２１の後端に一体に連結されている。
【００４２】
なお、針本体３２１は、前端から後端まで流路３２３が連通した管状に形成されている。針本体３２１の後端開口に挿入されたガイドワイヤ３２２は、かしめや接着などで固定されている。この固定により針本体３２１の流路３２３の後端開口は閉塞されているが、流路３２３に連通する開口３２４が針本体３２１の後部側面に形成されている。
【００４３】
管状部材３３０は、例えば、柔軟な樹脂製のチューブ部材３３１と硬質な樹脂製の管状本体３３２とを有し、これらは前端と後端とが開口した中空構造に各々形成されている。
【００４４】
チューブ部材３３１の後端と管状本体３３２の前端とは一体に連結されて相互の開口が連通されている。このため、前端と後端とが開口した中空構造の管状部材３３０が形成されている。
【００４５】
チューブ部材３３１は、例えば、湾曲は容易であるが伸縮は困難に形成されており、その前端に外針３１０の後端が一体に連結されて相互の開口が連通している。図１(ａ)に示すように、出荷状態の留置針３００では、外針３１０の内部に内針３２０の針本体３２１が挿入されており、内針３２０の前端が外針３１０の前端から突出してる。
【００４６】
さらに、内針３２０のガイドワイヤ３２２は管状部材３３０のチューブ部材３３１と管状本体３３２との内部を挿通されており、ガイドワイヤ３２２の後部は管状本体３３２の後端開口から突出している。
【００４７】
凹面部材３６０は、柔軟で薬液と反応しないシリコン樹脂などで形成されている。前述のように、内針３２０が挿通されている貫通孔３６１を中心とした円錐凹面３６２に前面が形成されており、管状本体３３２の内部後端に配置されている。
【００４８】
密閉部材３７０も、柔軟で薬液と反応せず、凹面部材３６０との密着性が良好なシリコン樹脂などで形成されている。密閉部材３７０は、前述のように管状部材３３０の内部で凹面部材３６０より前方に配置されており、その貫通孔３７１に内針３２０が貫通されている。
【００４９】
そして、詳細には後述するが、凹面部材３６０は、図５に示すように、内針３２０が貫通されている密閉部材３７０を凹面部材３６０の円錐凹面３６２から離間した位置に保持するとともに、内針３２０が抜去されて凹面部材３６０の円錐凹面３６２まで移動する密閉部材３７０を回動させる係合部材３６３が一体に形成されている。
【００５０】
なお、本実施の形態の留置針３００は、さらに、カバー部材３４０、延長チューブ３５０、なども有する。カバー部材３４０は、前後方向に伸縮自在な蛇腹構造に形成されており、その内部に内針３２０が配置されている。内針３２０とカバー部材３４０とは後端で一体に固定されており、この部分は把持が容易なノブ状部３４１として形成されている。
【００５１】
カバー部材３４０の前端部分３４２は円筒状に形成されており、管状本体３３２の後端開口に着脱自在に装着されている。つまり、カバー部材３４０は、伸縮自在な蛇腹部分３４３の前後に伸縮困難な前端部分３４２とノブ状部３４１とが一体に形成された構造となっている。
【００５２】
そして、カバー部材３４０は、図１(ｂ)に示すように、伸張状態では内針３２０より長く形成されている。このため、管状部材３３０から内針３２０がカバー部材３４０とともに分離された状態では、カバー部材３４０により内針３２０の全体が収容される。換言すると、図１(ａ)に示すように、出荷状態の留置針３００では、カバー部材３４０は、管状部材３３０から後方に突出した内針３２０の長さに圧縮されている。
【００５３】
カバー部材３４０は、シリコン樹脂などの弾性材料で形成されており、放置すると弾発的に圧縮状態から伸張状態となる。そして、本実施の形態の留置針３００では、内針３２０を外針３１０から抜去するためのカバー部材３４０の後端の移動に必要な力をＣ、圧縮状態のカバー部材３４０から内針３２０に作用している力をＤとすると、
Ｃ＞Ｄ
を満足するように各部が調整されている。
【００５４】
より具体的には、図１(ａ)に示すように、出荷状態の留置針３００では、内針３２０は外針３１０と凹面部材３６０と密閉部材３７０との摩擦力により保持されている。このため、この摩擦力が上述の力Ｃとして作用している。
【００５５】
このような状態で、内針３２０の凹面部材３６０から後方に突出している部分には、圧縮状態のカバー部材３４０から力が作用している。このため、これが上述の力Ｄとして作用している。そして、本実施の形態の留置針３００では、各部の材料や表面処理などにより、上述の力Ｃ、Ｄが「Ｃ＞Ｄ」を満足している。
【００５６】
なお、本実施の形態の留置針３００では、管状部材３３０の管状本体３３２は、いわゆる二股構造に形成されており、側部から後方に分岐管部３３５が一体に形成されている。この分岐管部３３５は、管状本体３３２の内部に連通する開口として注入口が開口されており、そこに延長チューブ３５０の先端がジョイント３５１により一体に連結されている。
【００５７】
さらに、図２に示すように、この延長チューブ３５０は二股に形成されており、この延長チューブ３５０の二つの末端には、薬液容器である造影および生食シリンジ２００Ｃ，２００Ｐが個々に着脱自在に装着される。
【００５８】
なお、本実施の形態の留置針３００では、出荷時には管状部材３３０と延長チューブ３５０との内部が生理食塩水で充填されており、延長チューブ３５０の末端には密閉キャップ(図示せず)が着脱自在に装着されている。また、延長チューブ３５０は、所定位置に気泡排除手段である排気弁(図示せず)が装着されている。
【００５９】
上述のような構成において、本実施の形態の薬液注入装置１００を使用する場合、図４に示すように、作業者(図示せず)はＭＲＩ装置４００の透視撮像ユニット４０１の近傍に薬液注入装置１００を配置し、使用する薬液シリンジ２００や留置針３００などを用意する。
【００６０】
つぎに、例えば、図２に示すように、留置針３００の延長チューブ３５０の二つの末端から密閉キャップが取り外され、その二つの末端に造影および生食シリンジ２００Ｃ，２００Ｐが個々に連結される。
【００６１】
前述のように、留置針３００の内部は事前に生理食塩水で充填されている。このため、その後端に造影および生食シリンジ２００Ｃ，２００Ｐが連結されると、これら造影および生食シリンジ２００Ｃ，２００Ｐと留置針３００との内部には空気が存在しない状態となる。
【００６２】
なお、本実施の形態の留置針３００は、内針３２０の先端と管状部材３３０の内部とを連通させる流路３２３が針本体３２１に形成されている。このため、被験者の血管(図示せず)に穿刺した外針３１０から内針３２０が抜き取られない状態のまま空気抜きを実行することもできる。
【００６３】
そして、上述のように造影および生食シリンジ２００Ｃ，２００Ｐと留置針３００との内部に空気が存在しない状態で、留置針３００の外針３１０と内針３２０とが被験者の血管に穿刺される。
【００６４】
このような状態で、ノブ状部３４１が引き出されて内針３２０が外針３１０と管状部材３３０から抜去される。このとき、図５に示すように、管状部材３３０の内部では内針３２０が密閉部材３７０と凹面部材３６０から抜去される。
【００６５】
より詳細には、密閉部材３７０は、図５(ａ)に示すように、内針３２０が貫通されている状態では、係合部材３６３により凹面部材３６０の前方に保持されている。しかし、内針３２０が抜去されるとき、その内針３２０との摩擦力や薬液の圧力などのため、管状部材３３０の内部を後方に移動する。
【００６６】
このとき、球形の密閉部材３７０は、図５(ｂ)に示すように、外面に係合部材３６３が係合することで回動する。そして、この回動した密閉部材３７０が、図５(ｃ)に示すように、薬液の圧力により凹面部材３６０の円錐凹面３６２に密着する。このため、密閉部材３７０と凹面部材３６０との貫通孔３７１，３６１が連通せず、凹面部材３６０の貫通孔３６１が密閉部材３７０により密閉される。
【００６７】
上述のような状態で、薬液注入装置１００により薬液シリンジ２００が駆動される。すると、薬液シリンジ２００から延長チューブ３５０と留置針３００とを経由して血管に薬液が圧入される。このとき、留置針３００の凹面部材３６０の貫通孔３６１は密閉部材３７０により密閉されているので、薬液は漏出することなく血管に注入される。
【００６８】
このように薬液注入装置１００により造影剤と生理食塩水とが順番に被験者の血管に注入されると、この被験者からＭＲＩ装置４００により透視画像が撮像される。なお、上述のように留置針３００に造影および生食シリンジ２００Ｃ，２００Ｐを連結するときに気泡が進入する可能性はある。しかし、その気泡は留置針３００の排気弁により外部に排除される。
【００６９】
本実施の形態の留置針３００は、上述のように内針３２０が抜去された凹面部材３６０の貫通孔３６１が内側から密閉部材３７０により密閉される。このため、薬液注入装置１００により薬液が高圧に圧入されても、留置針３００から漏出することがない。
【００７０】
しかも、内針３２０が凹面部材３６０から抜去されると自動的に密閉部材３７０が円錐凹面３６２に密着する。このため、専用の操作などを必要とすることなく自動的に凹面部材３６０の貫通孔３６１を密閉することができる。
【００７１】
さらに、密閉部材３７０は凹面部材３６０に密着するまでに係合部材３６３により回動される。このため、密閉部材３７０と凹面部材３６０との貫通孔３７１，３６１が連通することがなく、凹面部材３６０の貫通孔３６１を密閉部材３７０により確実に密閉することができる。
【００７２】
しかも、上述の係合部材３６３は凹面部材３６０と一体に形成されている。このため、適切な位置に係合部材３６３を簡単に形成することができ、生産性が良好な構造の留置針３００を提供することができる。
【００７３】
さらに、本実施の形態の留置針３００では、上述のように外針３１０と管状部材３３０と延長チューブ３５０とが一体に連結されている。このため、薬液注入装置１００により高圧に注入される薬液が、管状部材３３０と延長チューブ３５０との連結部から漏出することもない。しかも、被験者の血管に外針３１０が穿刺された状態で管状部材３３０に延長チューブ３５０を連結する必要がないので作業性が良好である。
【００７４】
さらに、延長チューブ３５０と管状部材３３０との内部に薬液として生理食塩水が事前に充填されており、延長チューブ３５０に液体から気泡を排除する排気弁が装着されている。このため、留置針３００を被験者の血管に連結したとき、その内部から簡単に気泡を排除することができる。
【００７５】
しかも、延長チューブ３５０の末端が二股構造に形成されている。このため、造影剤が充填されている造影シリンジ２００Ｃと生理食塩水が充填されている生食シリンジ２００Ｐとを同時に留置針３００に連結することができる。このため、簡単な構造で確実に被験者の血管に造影剤と生理食塩水とを自在に注入することができ、ＭＲＩ装置４００での透視画像の撮像に寄与することができる。
【００７６】
さらに、本実施の形態の留置針３００では、上述のように被験者に穿刺された外針３１０および管状部材３３０から内針３２０が抜去されると、図１(ｂ)に示すように、圧縮されていたカバー部材３４０が弾発的に伸張して抜去された内針３２０の全体が収容される。
【００７７】
そこで、作業者はカバー部材３４０で収容された状態の内針３２０を廃棄することになり、内針３２０が作業者に穿刺されて二次感染が発生するようなことがない。しかも、本実施の形態の留置針３００では、外針３１０および管状部材３３０から内針３２０が抜去されると、カバー部材３４０が自然に伸張して内針３２０の全体が自動的に収容される。このため、カバー部材３４０に内針３２０を収容させる専用の作業などが必要ない。
【００７８】
さらに、カバー部材３４０は内針３２０を収容した状態を弾発的に維持する。このため、例えば、カバー部材３４０の前端が上方や下方に位置する状態などになっても内針３２０が露出するようなことがない。このため、被験者の血液が付着した内針３２０に作業者が接触することがなく、簡単かつ安全に内針３２０を廃棄することができる。
【００７９】
それでいて、内針３２０を抜去するために必要な力Ｃと、圧縮状態のカバー部材３４０から内針３２０に作用している力Ｄとが、「Ｃ＞Ｄ」を満足している。このため、作業者の意図に関係なくカバー部材３４０の弾発力により内針３２０が抜去されるようなことはない。
【００８０】
しかも、内針３２０は前端のみ硬質な針本体３２１で大部分は柔軟なガイドワイヤ３２２で形成されており、この内針３２０の全体が柔軟なカバー部材３４０に収容される。このため、例えば、この収容状態でカバー部材３４０とともに内針３２０のガイドワイヤ３２２を巻回して廃棄するようなことも可能である(図示せず)。
【００８１】
なお、本発明は上記形態に限定されるものではなく、その要旨を逸脱しない範囲で各種の変形を許容する。例えば、上記形態では凹面部材３６０の開口したままの貫通孔３６１が密閉部材３７０のみで内側から密閉されることを例示した。
【００８２】
しかし、留置針３００を使用している現場などでは、外針３１０が血管に適正に穿刺されていることを確認するため、薬液に負圧を印加することがある。この場合、上述の構造では、負圧により密閉部材３７０が凹面部材３６０から剥離し、貫通孔３６１から薬液に気泡が混入する懸念がある。
【００８３】
そこで、これが問題となる場合には、従来の留置針と同様に、凹面部材の貫通孔を弾性により密閉させることがよい(図示せず)。この場合、上述のような薬液の負圧は、当然ながら一気圧以下なので凹面部材の弾性で充分に遮断することができ、注入される薬液の高圧は密閉部材により遮断することができる。
【００８４】
また、上記形態では係合部材３６３が凹面部材３６０と一体に形成されていることにより留置針３００の生産性が良好であることを例示した。しかし、係合部材が凹面部材とは別個の部品として形成されていてもよく、管状本体３３２と一体に形成されていてもよい(ともに図示せず)。
【００８５】
さらに、上記形態では大径の球形の密閉部材３７０に内針３２０が貫通されていることを例示した。しかし、図６に例示する留置針５００のように、小径の球形の密閉部材５０１が、内針３２０の外周面と管状部材３３０の内周面との間隙に配置されていてもよい。
【００８６】
この留置針５００では、内針３２０が抜去されると、やはり密閉部材５０１が凹面部材５０２の円錐凹面３６２に密着する。なお、密閉部材５０１には、内針３２０が貫通される貫通孔がない。このため、凹面部材５０２の貫通孔３６１を確実に密閉することができ、凹面部材５０２などに係合部材を形成しておく必要もない。
【００８７】
また、図７に例示する留置針５１０のように、密閉部材５１１は、凹面部材５０２の円錐凹面３６２に密着する円錐凸面５１２に後面が形成されており、その円錐凸面５１２が円錐凹面３６２に密着した状態で、凹面部材５０２の貫通孔３６１と連通しない位置に内針３２０が貫通されていてもよい。
【００８８】
この場合も、密閉部材５１１と凹面部材５０２との貫通孔５３３，３６１が連通しないので、密閉部材５１１により凹面部材５０２の貫通孔３６１を確実に密閉することができる。
【００８９】
さらに、図８に例示する留置針５２０のように、密閉部材５２１は、凹面部材５０２の円錐凹面３６２に密着する円錐凸面５２２に後面が形成されており、内針３２０が貫通されている貫通孔５２３が弾発的に閉止されてもよい。
【００９０】
この場合、内針３２０が抜去された密閉部材５２１の貫通孔５２３は弾性により閉止される。ただし、その密閉部材５２１の円錐凸面５２２が凹面部材５０２の円錐凹面３６２と密着するので、薬液の圧力が密閉部材５２１の貫通孔５２３を閉止するように作用する。
【００９１】
このため、単純に弾性のみで貫通孔を閉止していた従来の製品とは相違して、高圧の薬液を良好に密閉することができる。なお、図示するように、密閉部材５２１の円錐凸面５２２を凹面部材５０２の円錐凹面３６２より先鋭に形成しておくことにより、より良好に貫通孔５２３を閉止させることもできる。
【００９２】
また、図９に例示する留置針５３０のように、上述の密閉部材５２１と同様な形状の密閉部材５３１の前面が、貫通孔５３３を中心とした円錐凸面５３２に形成されていてもよい。
【００９３】
この場合、円錐凸面５３２に作用する薬液の圧力が、貫通孔５３３を閉止するように密閉部材５３１に作用する。このため、密閉部材５３１の貫通孔５３３を経由して薬液が漏出することを、より良好に防止することができる。
【００９４】
さらに、上記形態では管状部材３３０の管状本体３３２の内部に密閉部材３７０が単純に収容されていることを例示した。しかし、これでは密閉部材３７０が分岐管部３３５から流入する流体のために前方に移動し、チューブ部材３３１などを閉止する懸念もある。
【００９５】
そこで、これが問題となる場合には、図１０に例示する留置針５４０のように、管状部材５４１の管状本体５４２は、分岐管部３３５が分岐している位置より後方で密閉部材３７０が配置されている位置より前方の内周面にストッパ部５４３が形成されており、このストッパ部５４３は、密閉部材３７０より小径で内針３２０が挿通されている貫通孔５４４が形成されている構造としてもよい。
【００９６】
この場合、密閉部材３７０が分岐管部３３５から流入する流体のために前方に移動してチューブ部材３３１などを閉止することがない。このため、より確実に留置針５４０を利用することができる。
【００９７】
また、上記形態では内針３２０の後端のノブ状部３４１が単純な円柱状に形成されていることを例示した。しかし、図１０に例示する留置針５４０のように、内針５５１の後端に形成されている円柱状のノブ状部５５２の外周面の前端と後端とに円環状の凸部５５３，５５４が形成されていてもよい。この場合、より確実にノブ状部５５２を手指により把持することができる。
【００９８】
さらに、管状部材５４１は、後方ほど拡開した円錐状の凹部５５６が後面に形成されており、内針５５１のノブ状部５５２の前端に形成されている円錐状の凸部５５５が、管状部材５４１の凹部５５６に係脱自在に係合してもよい。この場合、ノブ状部５５２が管状部材５４１の後部に適正に配置され、内針５５１のガイドワイヤ３２２が無用に曲折されて破断されることなどを防止できる。
【００９９】
また、図１０および図１１に例示する留置針５４０のように、管状部材５４１は、別体の延長チューブ６００が着脱自在に連結される連結機構が後端部に形成されていてもよい。
【０１００】
より具体的には、延長チューブ６００は、図１１に示すように、柔軟なチューブ部材６１０の先端に円筒状の雌ネジ部材６２０が装着されている。管状部材５４１は、連結機構として雌ネジ部材６２０が係脱自在に螺合される雄ネジ部５７１が後端部の外周面に形成されている。
【０１０１】
この場合、人体に穿刺された留置針５４０に、延長チューブ６００を連結することができる。このため、留置針５４０に延長チューブ３５０とは別個に延長チューブ６００から薬液を注入することができる。従って、必要により本来の薬液とは相違する薬液を追加して人体に注入するようなことができる。
【０１０２】
なお、上述の留置針５４０では、管状部材５４１の後端の開口孔は、薬液の圧力により密閉部材３７０で内側から密閉される。このため、図１１(ｂ)に示すように、上述のように管状部材５４１の後端に延長チューブ６００を連結して薬液を圧入すれば、密閉部材３７０による密閉を自動的に解除することができる。この場合、前述のように密閉部材３７０が前方に移動してチューブ部材３３１などを閉止することを、管状部材５４１のストッパ部５４３で防止しておくことがよい。
【０１０３】
上述のような延長チューブ６００が留置針５４０の管状部材５４１の後端から分離されると、図１１(ａ)に示すように、管状部材５４１の後端の開口孔は密閉部材３７０で内側から薬液の圧力により自動的に再度密閉される。このため、延長チューブ３５０から薬液を高圧に注入することができる。
【０１０４】
なお、上述のような延長チューブ６００の雌ネジ部材６２０は、医療用の規格部品として一般的である。換言すると、一般的な規格部品の雌ネジ部材６２０が螺合される形状に留置針５４０の管状部材５４１の後端を形成しておくことがよい。さらに、前述の内針５５１のノブ状部５５２の凸部５５５も、このような管状部材５４１の凹部５５６に対応した形状に形成しておくことがよい。
【０１０５】
さらに、上記形態では管状部材３３０の柔軟なチューブ部材３３１に柔軟な外針３１０が連結されており、そこに内針３２０の硬質な針本体３２１が挿入されていることにより、この針本体３２１で支持されているチューブ部材３３１を把持して内針３２０を人体に穿刺することを例示した。
【０１０６】
しかし、図１０に例示する留置針５４０のように、外針３１０の後端外周およびチューブ部材３３１の前端外周に、後方ほど拡開した円錐状に外周面が形成されているハンドル部５６１が装着されていてもよい。この場合、内針５５１の針本体３２１で支持されている外針３１０を、ハンドル部５６１を把持することで人体に容易に穿刺することができる。
【０１０７】
また、上述のハンドル部５６１は、外周面の前端から後端まで複数の円環状の凸部５６２が連続的に形成されていてもよい。この場合、より確実に手指でハンドル部５６１を把持することができる。このため、さらに容易に外針３１０を人体に穿刺することができる。
【０１０８】
さらに、上記形態では外針３１０および管状部材３３０から抜去された内針３２０が蛇腹構造のカバー部材３４０に収容されることを例示した。しかし、図１２に示すように、抜去された内針３２０が硬質なカバーユニット７００に収容されてもよい。
【０１０９】
より具体的には、このカバーユニット７００は、前後方向に細長い硬質なユニット本体７１０を有する。このユニット本体７１０は、例えば、前端に一体に形成されている雌ネジ部７１３により、管状部材５４１の後端に着脱自在に装着されている。
【０１１０】
ユニット本体７１０には、スライダ部材７２０が前後方向にスライド自在に装着されている。このスライダ部材７２０は、後面が半円形に湾曲した巻回部７２１と、手指で操作される操作部７２２と、が形成されている。
【０１１１】
ユニット本体７１０には前後方向に細長い内部空間７１１が形成されており、そこにスライダ部材７２０の巻回部７２１が位置している。内針３２０は、ガイドワイヤ３２２の後端がユニット本体７１０の内部空間７１１の前端に固定されている。
【０１１２】
このガイドワイヤ３２２は、スライダ部材７２０の巻回部７２１に巻回されてユニット本体７１０の前端から管状部材５４１の内部に位置している。なお、ユニット本体７１０は、内針３２０の針本体３２１およびガイドワイヤ３２２と同等以上の前後長に内部空間７１１が形成されている。
【０１１３】
上述のようなカバーユニット７００を有する留置針(図示せず)では、図１２(ａ)に示すように、初期状態ではスライダ部材７２０が前端に配置された状態のカバーユニット７００が管状部材５４１の後端に装着されている。
【０１１４】
このような状態で、作業者は内針３２０とともに外針３１０を被験者に穿刺してから、例えば、カバーユニット７００のスライダ部材７２０を後端までスライド移動させる。すると、図１２(ｂ)に示すように、内針３２０の全体がカバーユニット７００の内部に収容される。
【０１１５】
そこで、このカバーユニット７００を管状部材５４１から分離して廃棄する。この場合、内針３２０の全体がカバーユニット７００に収容されているので、安全に内針３２０を廃棄することができる。
【０１１６】
しかも、カバーユニット７００の全長を内針３２０の全長の半分程度とすることができる。このため、留置針の全体を小型化することができ、内針３２０とともに廃棄するカバーユニット７００の全体も小型とすることができる。
【０１１７】
また、上記形態では留置針３００を利用するとき、必要な各種データを作業者が薬液注入装置１００に手作業で入力操作することを想定した。しかし、そのような各種データが記録されているＲＦＩＤチップを留置針に搭載しておくとともに、その各種データを読み取るＲＦＩＤリーダを薬液注入装置に搭載しておいてもよい(図示せず)。
【０１１８】
この場合、留置針のＲＦＩＤチップの記録データを薬液注入装置のＲＦＩＤリーダに取得させることにより、留置針の利用に必要な各種データを簡単かつ確実に薬液注入装置に入力することができる。
【０１１９】
例えば、留置針の耐圧をＲＦＩＤチップに記録しておけば、薬液注入装置は、留置針３００ごとに相違する耐圧を自動的に取得することができる。この場合、その耐圧を超過しないように注入する薬液の圧力を制御することができる。従って、留置針の内針が抜去された貫通孔から薬液が漏出することを有効に防止でき、留置針が異常な高圧により破壊されることも防止できる。
【０１２０】
さらに、上述のようなＲＦＩＤチップが、周囲の環境を検出する環境センサと、検出された環境を記録するデータ記憶部と、を有してもよい。このようなＲＦＩＤチップは血液パック用に実用化されており、温度、湿度、振動、圧力、を記録することができる。
【０１２１】
この場合、薬液注入装置は、留置針から環境の履歴を取得し、その履歴が所定条件を逸脱しているとシリンジ駆動機構を作動させない。従って、前述のように生理食塩水が事前に封入されている留置針の場合、温度変化などのために劣化した生理食塩水が注入されることを防止できる。
【０１２２】
また、上述のようなＲＦＩＤチップを前述したカバーユニット７００に装着しておいてもよい(図示せず)。その場合、ＲＦＩＤチップとしてチップ本体とアンテナ部とが分離される製品を利用し、そのチップ本体とアンテナ部とをユニット本体７１０とスライダ部材７２０とに装着しておいてもよい。
【０１２３】
この場合、図１２(ａ)に示すように、カバーユニット７００のスライダ部材７２０がユニット本体７１０の前端に位置する初期状態では、ＲＦＩＤチップのチップ本体とアンテナ部とが接続されている。
【０１２４】
この場合、ＲＦＩＤチップは所定の長距離まで無線通信できるので、薬液注入装置はＲＦＩＤリーダにより留置針から耐圧などの各種データを取得して注入動作に利用することができる。
【０１２５】
そして、カバーユニット７００のスライダ部材７２０がユニット本体７１０の後端にスライド移動されると、ＲＦＩＤチップのチップ本体とアンテナ部とが分離される。すると、ＲＦＩＤチップの通信距離は極端に短縮される。
【０１２６】
そこで、薬液注入装置はＲＦＩＤリーダによりＲＦＩＤチップを検出できるときには注入動作を実行しないことにより、留置針の準備が完了していない状態で注入動作が開始されることを防止できる。
【０１２７】
なお、上述のようなＲＦＩＤチップのチップ本体とアンテナ部とをユニット本体７１０とスライダ部材７２０とに装着しておき、スライダ部材７２０がユニット本体７１０の前端に位置する初期状態ではチップ本体とアンテナ部とを分離させておき、スライダ部材７２０がユニット本体７１０の後端にスライド移動されたときにチップ本体とアンテナ部とを接続してもよい。
【０１２８】
この場合は、薬液注入装置はＲＦＩＤリーダによりＲＦＩＤチップを検出するまで注入動作を実行しないことにより、留置針の準備が完了していない状態で注入動作が開始されることを防止できる。
【０１２９】
また、上記形態では留置針３００の延長チューブ３５０の末端が二股構造に形成されていて造影および生食シリンジ２００Ｃ，２００Ｐが同時に個々に装着されることを例示した。
【０１３０】
しかし、例えば、末端が一つで造影および生食シリンジ２００Ｃ，２００Ｐの一方のみ装着されることや、末端が三つ以上で三種類以上の薬液シリンジが装着されることも可能である(図示せず)。
【０１３１】
なお、上述のように末端が一つの留置針３００に造影シリンジ２００Ｃが装着される場合、その留置針３００に薬液として造影剤を事前に充填しておくことも可能である(図示せず)。
【０１３２】
さらに、上記形態では留置針３００の延長チューブ３５０の二股の末端に別体の造影および生食シリンジ２００Ｃ，２００Ｐを着脱自在に装着することを例示した。しかし、例えば、延長チューブ３５０の末端に造影および生食シリンジ２００Ｃ，２００Ｐが一体に装着されている留置針３００(図示せず)なども可能である。
【０１３３】
一方、上記形態では留置針３００の管状部材３３０に延長チューブ３５０が一体に連結されていることを例示した。しかし、別体の延長チューブ３５０が管状部材３３０に連結される留置針(図示せず)なども可能である。
【０１３４】
また、上記形態では管状部材３３０が柔軟なチューブ部材３３１と硬質な管状本体３３２で形成されていることを例示した。しかし、管状部材が硬質な管状本体のみで形成されていてもよい(図示せず)。
【０１３５】
同様に、上記形態では内針３２０が硬質な針本体３２１と柔軟なガイドワイヤ３２２で形成されていることを例示した。しかし、内針が硬質な針本体のみで形成されていてもよい(図示せず)。さらに、上記形態では内針３２０が管状に形成されていることを例示した。しかし、例えば、内針３２０が、いわゆるムクの針として形成されていてもよい。
【図面の簡単な説明】
【０１３６】
【図１】本発明の薬液注入用具の実施の形態である留置針の内部構造を示す模式的な縦断側面図である。
【図２】留置針と薬液容器である薬液シリンジと薬液注入装置の注入ヘッドとの連結関係を示す分解斜視図である。
【図３】薬液注入装置の外観を示す斜視図である。
【図４】薬液注入システムの外観を示す斜視図である。
【図５】留置針の要部の内部構造を示す模式的な縦断側面図である。
【図６】一変形例の留置針の要部の内部構造を示す模式的な縦断側面図である。
【図７】他の変形例の留置針の要部の内部構造を示す模式的な縦断側面図である。
【図８】さらに他の変形例の留置針の要部の内部構造を示す模式的な縦断側面図である。
【図９】さらに他の変形例の留置針の要部の内部構造を示す模式的な縦断側面図である。
【図１０】さらに他の変形例の留置針の全体構造を示す模式的な縦断側面図である。
【図１１】さらに他の変形例の留置針の全体構造を示す模式的な縦断側面図である。
【図１２】さらに他の変形例の留置針の要部の内部構造を示す模式的な縦断側面図である。
【図１３】一従来例の留置針の内部構造を示す縦断側面図である。
【符号の説明】
【０１３７】
１０    留置針
１１    外針
１２    内針
１３    管状部材
１４    パッキン
１６    ノブ状部
１７    延長チューブ
１８    ジョイント
１００    薬液注入装置
１０１    注入制御ユニット
１０２    通信ケーブル
１０３    操作パネル
１０４    タッチパネル
１０５    スピーカユニット
１０６    本体ハウジング
１０７    コントローラユニット
１０８    接続コネクタ
１１０    注入ヘッド
１１１    キャスタスタンド
１１２    可動アーム
１１３    ヘッド本体
１１４    凹部
１１６    シリンダ保持機構
１１７    シリンジ駆動機構
１１７Ｃ    造影注入機構
１１７Ｐ    生食注入機構
２００    薬液シリンジ
２００Ｃ    造影シリンジ
２００Ｐ    生食シリンジ
２１０    シリンダ部材
２１１    本体部
２１２    導管部
２１３    シリンダフランジ
２２０    ピストン部材
２２１    ピストンフランジ
３００    留置針
３１０    外針
３２０    内針
３２１    針本体
３２２    ガイドワイヤ
３２３    流路
３２４    開口
３３０    管状部材
３３１    チューブ部材
３３２    管状本体
３３５    分岐管部
３４０    カバー部材
３４１    ノブ状部
３４２    前端部分
３４３    蛇腹部分
３５０    延長チューブ
３５１    ジョイント
３６０    凹面部材
３６１    貫通孔
３６２    円錐凹面
３６３    係合部材
３７０    密閉部材
３７１    貫通孔
４００    ＭＲＩ装置
４０１    透視撮像ユニット
４０２    撮像制御ユニット
５００    留置針
５０１    密閉部材
５０２    凹面部材
５１０    留置針
５１１    密閉部材
５１２    円錐凸面
５２０    留置針
５２１    密閉部材
５２２    円錐凸面
５２３    貫通孔
５３０    留置針
５３１    密閉部材
５３２    円錐凸面
５３３    貫通孔
５４０    留置針
５４１    管状部材
５４２    管状本体
５４３    ストッパ部
５４４    貫通孔
５５１    内針
５５２    ノブ状部
５５３，５５４    凸部
５５５    凸部
５５６    凹部
５６１    ハンドル部
５６２    凸部
５７１    雄ネジ部
６００    延長チューブ
６１０    チューブ部材
６２０    雌ネジ部材
７００    カバーユニット
７１０    ユニット本体
７１１    内部空間
７１３    雌ネジ部
７２０    スライダ部材
７２１    巻回部
７２２    操作部
１０００    薬液注入システム
【図１】
2008200161.tif 000003
【図２】
2008200161.tif 000004
【図３】
2008200161.tif 000005
【図４】
2008200161.tif 000006
【図５】
2008200161.tif 000007
【図６】
2008200161.tif 000008
【図７】
2008200161.tif 000009
【図８】
2008200161.tif 000010
【図９】
2008200161.tif 000011
【図１０】
2008200161.tif 000012
【図１１】
2008200161.tif 000013
【図１２】
2008200161.tif 000014
【図１３】
2008200161.tif 000015